(57)【要約】【課題】出力処理の効率向上を実現する画像出力システム、制御装置、端末装置、画像出力方法、その方法を実行させるためのプログラム、及び、そのプログラムを記憶した記憶媒体を提供する。【解決手段】制御装置１は、画像ラスターデータ（以下、画像データ）を送信する画像ラスターデータ送信部１５と、これに対応するカラーコレクションテーブル（以下、テーブル）を送信するカラーコレクションテーブル送信部１３とを独立して備え、ＤＣＰ作成装置２は、カラーコレクションテーブル送信部１３から送信されるテーブルを、その都度、上書き保持して、画像ラスターデータ送信部１５から送信された画像データに基づく画像を、自身が保持するテーブルに従って出力する。尚、テーブルの送信は、書き換えが必要な場合にのみ行うことで、同一内容のテーブルを繰り返し使用する際の出力処理の効率を向上させる。【選択図】      図２
2004349990.tif 000002
【特許請求の範囲】
【請求項１】
外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成された色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを送信するテーブル送信手段と、を有する制御装置と、
前記制御装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする画像出力システム。
【請求項２】
外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成される色版別の画像ラスターデータの各色版とそれらに対応する露光強度値とを対応付けたテーブルを予め複数記憶するテーブル記憶手段と、前記解析加工手段により作成された色版別の画像ラスターデータの各色版とそれらに対応する露光強度値とを対応付けたテーブルの内容に変更が生じる場合に、新たなテーブルを前記テーブル記憶手段から選択するためのテーブル選択手段と、前記テーブル選択手段により選択されたテーブルを送信するテーブル送信手段と、を有する制御装置と、
前記制御装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする画像出力システム。
【請求項３】
外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、を有する制御装置と、
前記解析加工手段により作成された色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを送信するテーブル送信手段と、を有する端末装置と、
前記制御装置及び前記端末装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする画像出力システム。
【請求項４】
外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、を有する制御装置と、
前記解析加工手段により作成される色版別の画像ラスターデータの各色版とそれらに対応する露光強度値とを対応付けたテーブルを予め複数記憶するテーブル記憶手段と、前記解析加工手段により作成された色版別の画像ラスターデータの各色版とそれらに対応する露光強度値とを対応付けたテーブルの内容に変更が生じる場合に、新たなテーブルを前記テーブル記憶手段から選択するためのテーブル選択手段と、前記テーブル選択手段により選択されたテーブルを送信するテーブル送信手段と、を有する端末装置と、
前記制御装置及び前記端末装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする画像出力システム。
【請求項５】
色版別の画像ラスターデータに基づく画像を、所定のテーブルに従って露光して出力する画像出力装置と通信手段を介して接続され、前記画像出力装置の制御を行う制御装置であって、
外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成された色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを、前記所定のテーブルとして送信するテーブル送信手段と、を有することを特徴とする制御装置。
【請求項６】
色版別の画像ラスターデータに基づく画像を、所定のテーブルに従って露光して出力する画像出力装置と通信手段を介して接続され、前記画像出力装置の制御を行う制御装置であって、
外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成される色版別の画像ラスターデータの各色版とそれらに対応する露光強度値とを対応付けたテーブルを予め複数記憶するテーブル記憶手段と、前記解析加工手段により作成された色版別の画像ラスターデータの各色版とそれらに対応する露光強度値とを対応付けたテーブルの内容に変更が生じる場合に、新たなテーブルを前記テーブル記憶手段から選択するためのテーブル選択手段と、前記テーブル選択手段により選択されたテーブルを、前記所定のテーブルとして送信するテーブル送信手段と、を有することを特徴とする制御装置。
【請求項７】
制御装置から送信された色版別の画像ラスターデータに基づく画像を、所定のテーブルに従って露光して出力する画像出力装置と通信手段を介して接続され、前記画像出力装置に対して、前記テーブルを送信する端末装置であって、
前記色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを、前記所定のテーブルとして送信するテーブル送信手段と、を有することを特徴とする端末装置。
【請求項８】
制御装置から送信された色版別の画像ラスターデータに基づく画像を、所定のテーブルに従って露光して出力する画像出力装置と通信手段を介して接続され、前記画像出力装置に対して、前記テーブルを送信する端末装置であって、
前記色版別の画像ラスターデータの各色版とそれらに対応する露光強度値とを対応付けたテーブルを予め複数記憶するテーブル記憶手段と、前記色版別の画像ラスターデータの各色版とそれらに対応する露光強度値とを対応付けた前記所定のテーブルの内容に変更が生じる場合に、新たなテーブルを前記テーブル記憶手段から選択するためのテーブル選択手段と、前記テーブル選択手段により選択されたテーブルを、前記所定のテーブルとして送信するテーブル送信手段と、を有することを特徴とする端末装置。
【請求項９】
制御装置から送信された色版別の画像ラスターデータに基づく画像を、前記制御装置と通信手段を介して接続された画像出力装置において、前記制御装置から送信された前記色版別の画像ラスターデータの各色版とそれらに対応する露光強度値とを対応付けたテーブルに従って、露光して出力する画像出力方法であって、
前記制御装置において、
外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成された色版別の画像ラスターデータの各色版とそれらに対応する露光強度値とを対応付けたテーブルの内容に変更が生じる場合に、新たなテーブルが作成されるテーブル作成ステップと、前記テーブル作成ステップにおいて作成されたテーブルを送信するテーブル送信ステップと、
前記画像出力装置において、
前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする画像出力方法。
【請求項１０】
制御装置から送信された色版別の画像ラスターデータに基づく画像を、前記制御装置と通信手段を介して接続された画像出力装置において、前記制御装置から送信された前記色版別の画像ラスターデータの各色版とそれらに対応する露光強度値とを対応付けたテーブルに従って、露光して出力する画像出力方法であって、
前記制御装置において、
外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成される色版別の画像ラスターデータの各色版とそれらに対応する露光強度値とを対応付けたテーブルが予め複数記憶されるテーブル記憶ステップと、前記解析加工ステップにおいて作成された色版別の画像ラスターデータの各色版とそれらに対応する露光強度値とを対応付けたテーブルの内容に変更が生じる場合に、新たなテーブルが前記テーブル記憶ステップにおいて記憶された複数のテーブルの中から選択されるテーブル選択ステップと、前記テーブル選択ステップにおいて選択されたテーブルを送信するテーブル送信ステップと、
前記画像出力装置において、
前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする画像出力方法。
【請求項１１】
制御装置から送信された色版別の画像ラスターデータに基づく画像を、前記制御装置と通信手段を介して接続された画像出力装置において、当該画像出力装置と通信手段を介して接続された端末装置から送信された前記色版別の画像ラスターデータの各色版とそれらに対応する露光強度値とを対応付けたテーブルに従って、露光して出力する画像出力方法であって、
前記制御装置において、
外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、
前記端末装置において、
前記解析加工ステップにおいて作成された色版別の画像ラスターデータの各色版とそれらに対応する露光強度値とを対応付けたテーブルの内容に変更が生じる場合に、新たなテーブルが作成されるテーブル作成ステップと、前記テーブル作成ステップにおいて作成されたテーブルを送信するテーブル送信ステップと、
前記画像出力装置において、
前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする画像出力方法。
【請求項１２】
制御装置から送信された色版別の画像ラスターデータに基づく画像を、前記制御装置と通信手段を介して接続された画像出力装置において、当該画像出力装置と通信手段を介して接続された端末装置から送信された前記色版別の画像ラスターデータの各色版とそれらに対応する露光強度値とを対応付けたテーブルに従って、露光して出力する画像出力方法であって、
前記制御装置において、
外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、
前記端末装置において、
前記解析加工ステップにおいて作成される色版別の画像ラスターデータの各色版とそれらに対応する露光強度値とを対応付けたテーブルが予め複数記憶されるテーブル記憶ステップと、前記解析加工ステップにおいて作成された色版別の画像ラスターデータの各色版とそれらに対応する露光強度値とを対応付けたテーブルの内容に変更が生じる場合に、新たなテーブルが前記テーブル記憶ステップにおいて記憶された複数のテーブルの中から選択されるテーブル選択ステップと、前記テーブル選択ステップにおいて選択されたテーブルを送信するテーブル送信ステップと、
前記画像出力装置において、
前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする画像出力方法。
【請求項１３】
制御装置から送信された色版別の画像ラスターデータに基づく画像を、前記制御装置と通信手段を介して接続された画像出力装置において、所定のテーブルに従って露光して出力する画像出力方法であって、
前記制御装置において、
外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成された色版別の画像ラスターデータの各色版とそれらに対応する露光強度値とを対応付けたテーブルの内容に変更が生じる場合に、新たなテーブルが作成されるテーブル作成ステップと、前記テーブル作成ステップにおいて作成されたテーブルを、前記所定のテーブルとして送信するテーブル送信ステップと、を含むことを特徴とする画像出力方法。
【請求項１４】
制御装置から送信された色版別の画像ラスターデータに基づく画像を、前記制御装置と通信手段を介して接続された画像出力装置において、所定のテーブルに従って露光して出力する画像出力方法であって、
前記制御装置において、
外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成される色版別の画像ラスターデータの各色版とそれらに対応する露光強度値とを対応付けたテーブルが予め複数記憶されるテーブル記憶ステップと、前記解析加工ステップにおいて作成された色版別の画像ラスターデータの各色版とそれらに対応する露光強度値とを対応付けたテーブルの内容に変更が生じる場合に、新たなテーブルが前記テーブル記憶ステップにおいて記憶された複数のテーブルの中から選択されるテーブル選択ステップと、前記テーブル選択ステップにおいて選択されたテーブルを、前記所定のテーブルとして送信するテーブル送信ステップと、を含むことを特徴とする画像出力方法。
【請求項１５】
請求項１３又は請求項１４に記載の画像出力方法をコンピュータにおいて実行させることを特徴とするプログラム。
【請求項１６】
請求項１５記載のプログラムをコンピュータにより読み出し可能に記録したことを特徴とする記録媒体。
【発明の詳細な説明】
【０００１】
【発明の属する技術分野】
本発明は、画像出力システム、制御装置、端末装置、画像出力方法、その方法を実行させるためのプログラム、及び、そのプログラムを記憶した記憶媒体に関し、特に、波長の異なる複数の光源によって感光材料を感光させることで、印刷物の仕上がりを事前に確認するためのカラープルーフを作成するものに関する。
【０００２】
【従来の技術】
従来から、印刷機により印刷される最終印刷物の仕上がりを事前にシミュレートする目的でカラープルーフを作成するＤＣＰ（Ｄｉｇｉｔａｌ  Ｃｏｌｏｒ  Ｐｒｏｏｆ）作成装置が提案されている。このＤＣＰ作成装置は、各色分解原稿の網点画像データに基づいて、感光材料に、例えばＲ（レッド）／Ｇ（グリーン）／Ｂ（ブルー）等の波長の異なる複数の光の組み合わせから成る光点を露光して、Ｙ（イエロー）／Ｍ（マゼンタ）／Ｃ（シアン）／Ｋ（ブラック）等の各色を発色させる。
【０００３】
より詳細には、このＤＣＰ作成装置には、予め、画像データを構成する各色版のＹ／Ｍ／Ｃ／Ｋ等の色名称と、当該装置の露光光源の各色であるＲ／Ｇ／Ｂの露光強度値、即ち、光量値とを対応付けたテーブル（以下、カラーコレクションテーブルと称する）が複数記憶されており、外部装置より各色分解原稿の網点画像データが送信された場合には、作業者が、その画像データを構成する各色と、これらのカラーコレクションテーブルを構成する各色とを照合して、それらが一致するカラーコレクションテーブルを指定することで、当該ＤＣＰ作成装置においては、指定されたカラーコレクションテーブルに従って露光を行い、各色を発色させて、感光材料上に各色分解原稿の網点画像データに基づく画像を出力する（例えば、特許文献１参照）。
【０００４】
若しくは、外部装置より各色分解原稿の網点画像データが送信された場合に、作業者が、ＤＣＰ作成装置の操作パネルから、これに対応するカラーコレクションテーブルに関するデータを入力することで、当該ＤＣＰ作成装置においては、入力されたカラーコレクションテーブルに従って露光を行い、各色を発色させて、感光材料上に各色分解原稿の網点画像データに基づく画像を出力する。
【０００５】
若しくは、当該ＤＣＰ作成装置の出力制御を行う制御装置から、各色分解原稿の網点画像データと、これに対応するカラーコレクションテーブルの送信を受けて、当該ＤＣＰ作成装置においては、送信されたカラーコレクションテーブルに従って露光を行い、各色を発色させて、感光材料上に各色分解原稿の網点画像データに基づく画像を出力する。
【０００６】
このように、ＤＣＰ作成装置においては、各色分解原稿の網点画像データに基づく画像を出力する際には、その都度、これに対応するカラーコレクションテーブルに関する情報が指定され、若しくは、入力される必要がある。若しくは、これに対応するカラーコレクションテーブルが制御装置より送信される必要がある。
【０００７】
【特許文献１】
特開２００２−３２３７５４号公報
（段落〔００７６〕‐〔００９６〕、第２図乃至第４図）
【０００８】
【発明が解決しようとする課題】
しかしながら、一般に、カラーコレクションテーブルは、そのパラメータの数が膨大であるため、上述したように、各色分解原稿の網点画像データに基づく画像を出力する度に、当該カラーコレクションテーブルに関するデータを入力するということは、多大な手間と時間を要し、作業者にとっては苦痛を強いられるという問題があった。
【０００９】
また、一般に、カラーコレクションテーブルは、その容量が膨大であるため、上述したように、各色分解原稿の網点画像データに基づく画像を出力する度に、当該カラーコレクションテーブルをＤＣＰ作成装置に送信するということは、多大な送信時間を要し、特に、同一内容のカラーコレクションテーブルを繰り返し使用する場合においても、その都度、これを送信する必要があることから、出力処理の非効率化が招かれるという問題があった。
【００１０】
実際に、ＤＣＰ作成装置において、各色分解原稿の網点画像データに基づく画像を出力する、即ち、カラープルーフを作成する際には、作業者は、通常、所望の色調を有するカラープルーフを得るために、ＤＣＰ作成装置の微調整を行いつつ、上述した画像出力処理を行う必要があり、このような場合には、同一の各色分解原稿の網点画像データに基づく画像を、同一内容のカラーコレクションテーブルを使用して出力することになるため、出力処理の非効率化が顕著になる。
【００１１】
本発明は、上記事情に鑑みてなされたものであり、その目的とするところは、画像出力装置に対して、画像データの送信と、その画像データに対応するテーブルの送信とを独立して行うと共に、テーブルの送信に関しては、必要に応じて、これを行うことで、出力処理の効率を向上させることのできる画像出力システム、制御装置、端末装置、画像出力方法、その方法を実行させるためのプログラム、及び、そのプログラムを記憶した記憶媒体を提供することにある。
【００１２】
【課題を解決するための手段】
上記課題を解決するために、請求項１記載の発明は、外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成された色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを送信するテーブル送信手段と、を有する制御装置と、前記制御装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする。
【００１３】
上記課題を解決するために、請求項２記載の発明は、外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成される色版別の画像ラスターデータの各色版とそれらに対応する露光強度値とを対応付けたテーブルを予め複数記憶するテーブル記憶手段と、前記解析加工手段により作成された色版別の画像ラスターデータの各色版とそれらに対応する露光強度値とを対応付けたテーブルの内容に変更が生じる場合に、新たなテーブルを前記テーブル記憶手段から選択するためのテーブル選択手段と、前記テーブル選択手段により選択されたテーブルを送信するテーブル送信手段と、を有する制御装置と、前記制御装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする。
【００１４】
上記課題を解決するために、請求項３記載の発明は、外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、を有する制御装置と、前記解析加工手段により作成された色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを送信するテーブル送信手段と、を有する端末装置と、前記制御装置及び前記端末装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする。
【００１５】
上記課題を解決するために、請求項４記載の発明は、外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、を有する制御装置と、前記解析加工手段により作成される色版別の画像ラスターデータの各色版とそれらに対応する露光強度値とを対応付けたテーブルを予め複数記憶するテーブル記憶手段と、前記解析加工手段により作成された色版別の画像ラスターデータの各色版とそれらに対応する露光強度値とを対応付けたテーブルの内容に変更が生じる場合に、新たなテーブルを前記テーブル記憶手段から選択するためのテーブル選択手段と、前記テーブル選択手段により選択されたテーブルを送信するテーブル送信手段と、を有する端末装置と、前記制御装置及び前記端末装置と通信手段を介して接続され、前記テーブル送信手段により送信されたテーブルを、その都度、上書き保持する保持手段と、前記画像ラスターデータ送信手段により送信された前記色版別の画像ラスターデータに基づく画像を前記保持手段に保持されたテーブルに従って、露光して出力する画像出力手段と、を有する画像出力装置と、を備えたことを特徴とする。
【００１６】
上記課題を解決するために、請求項５記載の発明は、色版別の画像ラスターデータに基づく画像を、所定のテーブルに従って露光して出力する画像出力装置と通信手段を介して接続され、前記画像出力装置の制御を行う制御装置であって、外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成された色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを、前記所定のテーブルとして送信するテーブル送信手段と、を有することを特徴とする。
【００１７】
上記課題を解決するために、請求項６記載の発明は、色版別の画像ラスターデータに基づく画像を、所定のテーブルに従って露光して出力する画像出力装置と通信手段を介して接続され、前記画像出力装置の制御を行う制御装置であって、外部装置から受信した画像データを格納する格納手段と、前記格納手段に格納された画像データを解析加工することで色版別の画像ラスターデータを作成する解析加工手段と、前記解析加工手段により作成された色版別の画像ラスターデータを送信する画像ラスターデータ送信手段と、前記解析加工手段により作成される色版別の画像ラスターデータの各色版とそれらに対応する露光強度値とを対応付けたテーブルを予め複数記憶するテーブル記憶手段と、前記解析加工手段により作成された色版別の画像ラスターデータの各色版とそれらに対応する露光強度値とを対応付けたテーブルの内容に変更が生じる場合に、新たなテーブルを前記テーブル記憶手段から選択するためのテーブル選択手段と、前記テーブル選択手段により選択されたテーブルを、前記所定のテーブルとして送信するテーブル送信手段と、を有することを特徴とする。
【００１８】
上記課題を解決するために、請求項７記載の発明は、制御装置から送信された色版別の画像ラスターデータに基づく画像を、所定のテーブルに従って露光して出力する画像出力装置と通信手段を介して接続され、前記画像出力装置に対して、前記テーブルを送信する端末装置であって、前記色版別の画像ラスターデータの各色版とそれらに対応する露光強度値とを対応付けたテーブルの内容に変更が生じる場合に、新たなテーブルを作成するためのテーブル作成手段と、前記テーブル作成手段により作成されたテーブルを、前記所定のテーブルとして送信するテーブル送信手段と、を有することを特徴とする。
【００１９】
上記課題を解決するために、請求項８記載の発明は、制御装置から送信された色版別の画像ラスターデータに基づく画像を、所定のテーブルに従って露光して出力する画像出力装置と通信手段を介して接続され、前記画像出力装置に対して、前記テーブルを送信する端末装置であって、前記色版別の画像ラスターデータの各色版とそれらに対応する露光強度値とを対応付けたテーブルを予め複数記憶するテーブル記憶手段と、前記色版別の画像ラスターデータの各色版とそれらに対応する露光強度値とを対応付けた前記所定のテーブルの内容に変更が生じる場合に、新たなテーブルを前記テーブル記憶手段から選択するためのテーブル選択手段と、前記テーブル選択手段により選択されたテーブルを、前記所定のテーブルとして送信するテーブル送信手段と、を有することを特徴とする。
【００２０】
上記課題を解決するために、請求項９記載の発明は、制御装置から送信された色版別の画像ラスターデータに基づく画像を、前記制御装置と通信手段を介して接続された画像出力装置において、前記制御装置から送信された前記色版別の画像ラスターデータの各色版とそれらに対応する露光強度値とを対応付けたテーブルに従って、露光して出力する画像出力方法であって、前記制御装置において、外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成された色版別の画像ラスターデータの各色版とそれらに対応する露光強度値とを対応付けたテーブルの内容に変更が生じる場合に、新たなテーブルが作成されるテーブル作成ステップと、前記テーブル作成ステップにおいて作成されたテーブルを送信するテーブル送信ステップと、前記画像出力装置において、前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする。
【００２１】
上記課題を解決するために、請求項１０記載の発明は、制御装置から送信された色版別の画像ラスターデータに基づく画像を、前記制御装置と通信手段を介して接続された画像出力装置において、前記制御装置から送信された前記色版別の画像ラスターデータの各色版とそれらに対応する露光強度値とを対応付けたテーブルに従って、露光して出力する画像出力方法であって、前記制御装置において、外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成される色版別の画像ラスターデータの各色版とそれらに対応する露光強度値とを対応付けたテーブルが予め複数記憶されるテーブル記憶ステップと、前記解析加工ステップにおいて作成された色版別の画像ラスターデータの各色版とそれらに対応する露光強度値とを対応付けたテーブルの内容に変更が生じる場合に、新たなテーブルが前記テーブル記憶ステップにおいて記憶された複数のテーブルの中から選択されるテーブル選択ステップと、前記テーブル選択ステップにおいて選択されたテーブルを送信するテーブル送信ステップと、前記画像出力装置において、前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする。
【００２２】
上記課題を解決するために、請求項１１記載の発明は、制御装置から送信された色版別の画像ラスターデータに基づく画像を、前記制御装置と通信手段を介して接続された画像出力装置において、当該画像出力装置と通信手段を介して接続された端末装置から送信された前記色版別の画像ラスターデータの各色版とそれらに対応する露光強度値とを対応付けたテーブルに従って、露光して出力する画像出力方法であって、前記制御装置において、外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記端末装置において、前記解析加工ステップにおいて作成された色版別の画像ラスターデータの各色版とそれらに対応する露光強度値とを対応付けたテーブルの内容に変更が生じる場合に、新たなテーブルが作成されるテーブル作成ステップと、前記テーブル作成ステップにおいて作成されたテーブルを送信するテーブル送信ステップと、前記画像出力装置において、前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする。
【００２３】
上記課題を解決するために、請求項１２記載の発明は、制御装置から送信された色版別の画像ラスターデータに基づく画像を、前記制御装置と通信手段を介して接続された画像出力装置において、当該画像出力装置と通信手段を介して接続された端末装置から送信された前記色版別の画像ラスターデータの各色版とそれらに対応する露光強度値とを対応付けたテーブルに従って、露光して出力する画像出力方法であって、前記制御装置において、外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記端末装置において、前記解析加工ステップにおいて作成される色版別の画像ラスターデータの各色版とそれらに対応する露光強度値とを対応付けたテーブルが予め複数記憶されるテーブル記憶ステップと、前記解析加工ステップにおいて作成された色版別の画像ラスターデータの各色版とそれらに対応する露光強度値とを対応付けたテーブルの内容に変更が生じる場合に、新たなテーブルが前記テーブル記憶ステップにおいて記憶された複数のテーブルの中から選択されるテーブル選択ステップと、前記テーブル選択ステップにおいて選択されたテーブルを送信するテーブル送信ステップと、前記画像出力装置において、前記テーブル送信ステップにおいて送信されたテーブルを、その都度、上書き保持する保持ステップと、前記画像ラスターデータ送信ステップにおいて送信された前記色版別の画像ラスターデータに基づく画像を前記保持ステップにおいて保持されたテーブルに従って、露光して出力する画像出力ステップと、を含むことを特徴とする。
【００２４】
上記課題を解決するために、請求項１３記載の発明は、制御装置から送信された色版別の画像ラスターデータに基づく画像を、前記制御装置と通信手段を介して接続された画像出力装置において、所定のテーブルに従って露光して出力する画像出力方法であって、前記制御装置において、外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成された色版別の画像ラスターデータの各色版とそれらに対応する露光強度値とを対応付けたテーブルの内容に変更が生じる場合に、新たなテーブルが作成されるテーブル作成ステップと、前記テーブル作成ステップにおいて作成されたテーブルを、前記所定のテーブルとして送信するテーブル送信ステップと、を含むことを特徴とする。
【００２５】
上記課題を解決するために、請求項１４記載の発明は、制御装置から送信された色版別の画像ラスターデータに基づく画像を、前記制御装置と通信手段を介して接続された画像出力装置において、所定のテーブルに従って露光して出力する画像出力方法であって、前記制御装置において、外部装置から受信した画像データを格納する格納ステップと、前記格納ステップにおいて格納された画像データを解析加工することで色版別の画像ラスターデータを作成する解析加工ステップと、前記解析加工ステップにおいて作成された色版別の画像ラスターデータを送信する画像ラスターデータ送信ステップと、前記解析加工ステップにおいて作成される色版別の画像ラスターデータの各色版とそれらに対応する露光強度値とを対応付けたテーブルが予め複数記憶されるテーブル記憶ステップと、前記解析加工ステップにおいて作成された色版別の画像ラスターデータの各色版とそれらに対応する露光強度値とを対応付けたテーブルの内容に変更が生じる場合に、新たなテーブルが前記テーブル記憶ステップにおいて記憶された複数のテーブルの中から選択されるテーブル選択ステップと、前記テーブル選択ステップにおいて選択されたテーブルを、前記所定のテーブルとして送信するテーブル送信ステップと、を含むことを特徴とする。
【００２６】
上記課題を解決するために、請求項１５記載の発明は、請求項１３又は請求項１４に記載の画像出力方法をコンピュータにおいて実行させることを特徴とする。
【００２７】
上記課題を解決するために、請求項１６記載の発明は、請求項１５記載のプログラムをコンピュータにより読み出し可能に記録したことを特徴とする。
【００２８】
【発明の実施の形態】
以下、本発明に係る画像出力システム、制御装置、端末装置、画像出力方法、その方法を実行させるためのプログラム、及び、そのプログラムを記憶した記憶媒体の一実施形態について、図面を参照しながら詳細に説明する。
【００２９】
［画像出力システム］
まず、本実施形態における画像出力システムのシステム構成及び概略動作について、図１を参照しつつ説明する。
【００３０】
＜システム構成＞
図１に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の解析加工処理を行った後、これを画像出力装置であるＤＣＰ作成装置２に送信する制御装置１と、この制御装置１から送信された画像データに基づく画像を所定の出力制御情報、具体的には、後述するカラーコレクションテーブルに従って出力するＤＣＰ作成装置２とから構成されている。尚、これらは、ネットワークＮを介して接続されている。因みに、ＲＩＰ４は、制御装置１に組み込まれた構成としても良く、また、ＤＣＰ作成装置２は、複数が設けられる構成としても良い。
【００３１】
制御装置１及び画像データ編集端末３は、各々、コンピュータターミナル（端末装置）として動作するものであって、制御装置１は、コンピュータ本体、キーボード、表示部等を備え、後述する種々の処理を実行する所定の動作プログラムを組み込んでいる。また、画像データ編集端末３は、コンピュータ本体、キーボード、表示部、イメージスキャナ等の必要な画像入力機器を備えている。
【００３２】
＜概略動作＞
このような構成において、制御装置１は、画像データ編集端末３やＲＩＰ４から送信される画像データを、予め設定された出力条件に従って解析加工した後、これをＤＣＰ作成装置２に送信する。因みに、此処に言う出力条件とは、画像データ編集端末３やＲＩＰ４から送信された画像データの種別に応じて、これをラスター化する処理を行うか否かを規定した条件のことであり、また、此処に言う解析加工とは、画像データ編集端末３やＲＩＰ４から送信された画像データの種別を判断して（解析に対応する）、その画像データがラスター化する処理を必要とする場合には、これを実施する（加工に対応する）ということである。尚、画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがあり、上述した出力条件は、制御装置１において画像データを加工することで反映させる他にも、出力条件を別途通知しておき、ＤＣＰ作成装置２において画像データを加工することで反映させる方法がある。
【００３３】
一方、ＤＣＰ作成装置２においては、制御装置１から送信された画像データに基づく画像を、自身が保持する所定のカラーコレクションテーブルに従って出力する。尚、このカラーコレクションテーブルは、必要に応じて、具体的には、画像データが切り替わる等して、その内容を書き替える必要が生じた場合に、制御装置１から送信され、ＤＣＰ作成装置２において、その都度、上書き保持される。これまでの工程により、カラープルーフが作成される。
【００３４】
［制御装置］
次に、当該画像出力システムを構成する制御装置１の詳細構成及び詳細動作について、図２を参照しつつ、図３に示すフローチャートの流れに沿って説明する。
【００３５】
＜詳細構成＞
図２に示すように、制御装置１は、画像データ編集端末３やＲＩＰ４から送信される画像データに対応するカラーコレクションテーブルを、予め、複数記憶するカラーコレクションテーブル記憶部１０と、画像データ編集端末３やＲＩＰ４から送信された画像データを受信して、これを格納する格納部１１と、格納部１１に格納された画像データに対応するカラーコレクションテーブルを、必要に応じて、即ち、画像データが切り替わる等して、その内容を書き替える必要が生じた場合に、カラーコレクションテーブル記憶部１０より選択、若しくは、これを作成するためのカラーコレクションテーブル選択／作成部１２と、このカラーコレクションテーブル選択／作成部１２により選択、若しくは、作成されたカラーコレクションテーブルをＤＣＰ作成装置２に送信するカラーコレクションテーブル送信部１３と、格納部１１に格納された画像データを解析加工して、色版別の画像ラスターデータを作成する画像データ解析加工部１４と、この画像データ解析加工部１４において作成された色版別の画像ラスターデータを、出力指示信号と共にＤＣＰ作成装置２に送信する画像ラスターデータ送信部１５と、から構成されている。
【００３６】
尚、カラーコレクションテーブル記憶部１０は、メモリ等の記憶手段により構成され、本発明の「テーブル記憶手段」に対応する。また、格納部１１は、メモリ等の記憶手段により構成され、本発明の「格納手段」に対応する。また、カラーコレクションテーブル選択／作成部１２は、ＣＰＵ等の演算手段と、所定の演算プログラムを記憶するメモリ等の記憶手段と、キーボード若しくはマウス等の操作手段により構成され、本発明の「テーブル選択手段」及び「テーブル作成手段」に対応する。また、カラーコレクションテーブル送信部１３は、ネットワークＩ／Ｆ等の通信手段により構成され、本発明の「テーブル送信手段」に対応する。また、画像データ解析加工部１４は、ＣＰＵ等の演算手段と、所定の演算プログラムを記憶するメモリ等の記憶手段により構成され、本発明の「解析加工手段」に対応する。また、画像ラスターデータ送信部１５は、ネットワークＩ／Ｆ等の通信手段により構成され、本発明の「画像ラスターデータ送信手段」に対応する。
【００３７】
＜詳細動作＞
図３に示すように、このような構成において、制御装置オペレータは、まず、画像データ編集端末３やＲＩＰ４から送信される画像データの出力処理を行うに際して、ＤＣＰ作成装置２に保持されるカラーコレクションテーブルの変更、即ち、カラーコレクションテーブルの書き換えを行う必要であるか否かを判断する（Ｓ０１）。ここで、出力する画像データが切り替わる等して、カラーコレクションテーブルの書き換えを行う必要があると判断した場合には（Ｓ０１、Ｙｅｓ）、制御装置オペレータは、カラーコレクションテーブル選択／作成部１２によって新たなカラーコレクションテーブルを選択、若しくは、作成する作業を行う（Ｓ０２）。
【００３８】
（テーブル選択ステップ、テーブル記憶ステップ）
この際、新たなカラーコレクションテーブルを選択する場合には、制御装置オペレータは、例えば、格納部１１に格納された画像データを構成する各色版の色名称と、カラーコレクションテーブル記憶部１０に予め記憶された複数のカラーコレクションテーブルの各々が対象とする各色版の色名称とを照合して、互いの色名称が一致するものを選択する（この際、その他の条件として、例えば印刷用紙の種別（例えば、上質紙／アート紙／コート紙等）等を加味して、それらが一致するものを選択することとしても良い）。尚、格納部１１に格納された画像データを構成する各色版の色名称は、当該画像データに添付され、画像データ編集端末３やＲＩＰ４から送信される。また、カラーコレクションテーブル記憶部１０に記憶された複数のカラーコレクションテーブルの各々が対象とする各色版の色名称は、当該カラーコレクションテーブルが記憶される際に添付される。
【００３９】
（テーブル作成ステップ）
一方、この際、新たなカラーコレクションテーブルを作成する場合には、制御装置オペレータは、例えば、格納部１１に格納された画像データを構成する各色版に応じて、各色の露光強度が調整されたカラーコレクションテーブルを作成する。具体的には、制御装置オペレータは、制御装置１の表示部に表示される所定の画面において、例えば、感光材料に表現するＹ／Ｍ／Ｃ／Ｂ（Ｍ＋Ｃ）／Ｇ（Ｙ＋Ｃ）／Ｒ（Ｙ＋Ｍ）／Ｋ等の各色版と、これに対応するＤＣＰ作成装置２の露光光源の各色であるＢ／Ｇ／Ｒの露光強度、即ち、光量値を設定することで、図４に示すようなカラーコレクションテーブル１ａを作成する。上述したように、この際、各色版に対応するＤＣＰ作成装置２の露光光源の光量値は、当該カラーコレクションテーブル１ａが対象とする画像データが印刷機において印刷される際の印刷用紙の種別等に応じて調整された値としても良い。尚、このカラーコレクションテーブル１ａの作成作業については、従来の場合と同様であるため、その詳細については省略する。
【００４０】
（テーブル送信ステップ）
このようにしてカラーコレクションテーブル選択／作成部１２により選択、若しくは、作成されたカラーコレクションテーブルは、カラーコレクションテーブル送信部１３に送信される。カラーコレクションテーブル送信部１３は、送信されたカラーコレクションテーブルをＤＣＰ作成装置２に送信する（Ｓ０３）。
【００４１】
（格納ステップ）
このような事前準備が行われた上で、画像データ編集端末３やＲＩＰ４から画像データが送信されると、格納部１１は、これを受信して、その画像データを格納する（Ｓ０４、Ｙｅｓ）。
【００４２】
（解析加工ステップ）
画像データ解析加工部１４は、格納部１１に格納された画像データを解析加工して、色版別の画像ラスターデータを作成すると共に（Ｓ０５）、その色版別の画像ラスターデータを画像ラスターデータ送信部１５に送信する。
【００４３】
（画像ラスターデータ送信ステップ）
画像ラスターデータ送信部１５は、画像データ解析加工部１４から送信された色版別の画像ラスターデータを、出力指示信号と共にＤＣＰ作成装置２に送信する（Ｓ０６）。
【００４４】
［ＤＣＰ作成装置］
次に、当該画像出力システムを構成するＤＣＰ作成装置２の詳細構成及び詳細動作について、図５及び図６を参照しつつ、図７に示すフローチャートの流れに沿って説明する。
【００４５】
＜詳細構成＞
図５に示すように、ＤＣＰ作成装置２は、主に、感光材料上に画像を露光するための露光部３３と、露光された感光材料を現像処理するための処理部３４とから構成されている。
【００４６】
露光部３３は、外部に開閉可能な上面パネル３５及び前面パネル３６を有し、当該露光部３３のメンテナンスは、これらのパネルを開いて行う。また、ロールセット部３７は、ロール状に巻回された感光材料を収容したカートリッジを装填する部分であり、装置本体の上部に設けられている。尚、カートリッジの装填は、給紙カバー３９を開閉して行う。因みに、本実施形態のロールセット部３７は、単数であるが、複数設けられても良い。また、ロール状に巻回された感光材料を直接セットできるものであっても良い。尚、カートリッジに収容される感光材料は、通常、感光面を外側にして巻回される。従って、ロール状に巻回された感光材料を直接セットする場合であっても、感光材料の感光面を外側にして巻回されるものを用いることが好ましい。
【００４７】
装置本体の外面、具体的には、ロールセット部３７の手前側には、タッチパネル４２と液晶パネル４１から成る操作部が設けられている。タッチパネル４２は、液晶パネル４１の上面に重ねて設けられている。液晶パネル４１には、後述する制御部１００の制御により、操作者に入力を求める入力指示情報や装置の状態を示す装置状態情報等を表示する。一方、タッチパネル４２は、操作者が各種情報を入力する入力手段であり、操作者は、液晶パネル４１に表示される入力指示画面に応じて各種情報の入力を行う。タッチパネル４２からの入力に応じた各種情報は、後述するＲＡＭ１０２に記憶される。尚、操作部の構成は、これに限られず、例えば、ＬＥＤ等から成る表示手段と入力キー等から成る入力手段により構成しても良い。
【００４８】
処理部３４は、外面に開閉可能な上面パネル４３及び補給パネル４４を有し、通常のメンテナンスは上面パネル４３を開いて行い、処理液の補充等は、補給パネル４４を開いて行う。また、排紙部４５は、現像処理が終了した感光材料をストックする部分である。
【００４９】
図６に、ＤＣＰ作成装置２の制御構成を示す。図６に示すように、ＤＣＰ作成装置２は、全体の制御を行う制御部１００を有し、この制御部１００は、ＣＰＵ１０１、ＲＡＭ１０２及びＲＯＭ１０３とから構成されている。当該制御部１００は、Ｉ／Ｏポート１０４、１０５を介して、感光材料の先端位置や図示省略のドラムの回転位置などを検出するロータリエンコーダ等の検出系を構成するセンサ類１０６、及び、感光材料の搬送やドラムの回転駆動などを行うモーター等の駆動系を構成するアクチュエータ群１０７に接続され、センサ類１０６からの情報に基づいてアクチュエータ群１０７を制御するように構成されている。
【００５０】
また、操作部については、液晶パネル４１をドライバＤ２０により制御し、これにＤＣＰ作成装置の２の運転状態等を表示する。また、タッチパネル４２からの入力に応じた情報は、Ａ／Ｄ変換部１２０によりデジタル情報としてＣＰＵ１０１に送信される構成となっている。
【００５１】
さらに、ＤＣＰ作成装置２は、制御装置１から送信される色版別の画像ラスターデータと、カラーコレクションテーブルに関する情報と、出力指示信号とを受信する画像データＩ／Ｆ部２０１を備えている。
【００５２】
（保持ステップ）
図７に示すように、このような構成において、画像データＩ／Ｆ部２０１は、上述した（テーブル送信ステップ）において、カラーコレクションテーブル送信部１３よりカラーコレクションテーブルが送信された場合には、そのカラーコレクションテーブルを受信して、ＬＵＴ（Ｌｏｏｋ  Ｕｐ  Ｔａｂｌｅ）部２０５に送信する（Ｓ１０）。ＬＵＴ部２０５は、送信されたカラーコレクションテーブルを、その都度、上書き保持する（Ｓ１１）。
【００５３】
また、画像データＩ／Ｆ部２０１は、上述した（画像ラスターデータ送信ステップ）において、画像ラスターデータ送信部１５より色版別の画像ラスターデータが出力指示信号と共に送信された場合には、この各色（Ｃ、Ｍ、Ｙ、Ｋ、特色１、特色２等）のラスターイメージフォーマットの網点画像データを、例えば各色１０本の走査線毎（各色１０のチャンネル毎）の露光用フォーマットに変換し、データバッファ２０４に蓄積する（Ｓ１２、Ｙｅｓ）。この画像データのフォーマット変換は、同時に各色１０本の走査線を走査する場合、ラスターイメージフォーマットのビットマップデータの画像データを並べ替え、１０ライン並列に読み出すことにより行う。そして、データバッファ２０４に１枚分のデジタル網点画像データを蓄積した後、送信された出力指示信号に従って、以下のようにして、全色同時露光、即ち、マルチ露光を行う。
【００５４】
（画像出力ステップ）
この際、画素クロック生成部２０３は、ＰＬＬ（ＰＨＡＳＥ  ＬＯＣＫ  ＬＯＯＰ）回路２０２からの出力に同期させて、データバッファ２０４からデジタル網点画像データを読み出すタイミングを規定する画素クロックを生成する。そして、この画素クロックにてデータバッファ２０４からデジタル網点画像データを読み出して、これをＬＵＴ部２０５に送信する。
【００５５】
ＬＵＴ部２０５は、上述したように、印刷の基準色となるＣ、Ｍ、Ｙ、Ｋや、特色１、特色２等を感光材料上に露光する際の露光光源の光強度、例えばＢ（ブルー）、Ｒ（レッド）、Ｇ（グリーン）光の強度組成との対応を規定するテーブル、即ち、カラーコレクションテーブルを保持していると共に、新たなカラーコレクションテーブルが送信された場合には、これを上書き保持する。その上で、自身が保持するカラーコレクションテーブルに従って、送信された露光用フォーマットのＣ、Ｍ、Ｙ、Ｋのデジタル網点画像データをＢ、Ｒ、Ｇの露光強度データに変換する。その際、画素毎に、Ｃ、Ｍ、Ｙ、Ｋの網点画像データをＢ、Ｒ、Ｇのレーザ強度の組み合わせに変換する。
【００５６】
また、制御部１００のＣＰＵ１０１は、センサ類１０６からの感光材料の先端位置の情報、及び、図示省略のドラム位置を検出するロータリエンコーダからのパルス信号のカウントに基づいて、光学ユニットから射出されるレーザ光の照射位置に感光材料の画像記録領域が存在するか否かを判断する。そして、制御部１００は、この判断に基づき、レーザ光の照射位置に感光材料の画像記録領域が存在する期間は、ＬＵＴ部２０５に、レーザダイオードのレーザ光源３２０、３２１、３２２を駆動するドライバＤ３２０、３２１、３２２に入力される露光強度データが、常にレーザダイオードを発光させるに足りるようにカラーコレクションテーブルのデータの設定制御を行っている。これにより、レーザ光照射位置に感光材料の画像記録領域がある期間は、レーザ光源３２０、３２１、３２２のレーザダイオードは、常に発光し、良好な応答性になる。
【００５７】
このような制御の基、ドラムに保持される感光材料に対する網点画像の出力が行われる。その結果、感光材料上、即ち、カラープルーフ上には、最終印刷物の色調がより忠実に再現された所定の画像が描画される。これにより、最終印刷物の仕上がりを事前に確認することができる。
【００５８】
尚、制御部１００のＣＰＵ１０１、画像データＩ／Ｆ部２０１、ＰＬＬ２０２、画素クロック生成部２０３、データバッファ２０４、ＬＵＴ部２０５、Ｄ／Ａ変換部２０６〜２０８、ドライバＤ３２０〜Ｄ３２２、ＬＥＤ３２０〜３２２を含み、本発明の「画像出力手段」を構成する。
【００５９】
［画像出力システムの画像出力処理］
次に、以上に説明した制御装置１及びＤＣＰ作成装置２により構成される当該画像出力システムの画像出力処理に関する概略の流れについて、図８に示すシーケンス図を参照しつつ説明する。
【００６０】
制御装置オペレータは、まず、制御装置１において事前準備、具体的には、コントロールアプリケーションの起動操作を行う（Ｓ２０）。これにより、コントロールアプリケーションが起動し（Ｓ３０）、制御装置１は、画像データの送信待ちの状態となる（Ｓ３１）。制御装置オペレータは、ここで、画像データ編集端末３やＲＩＰ４から送信される画像データの出力処理を行うに際して、ＤＣＰ作成装置２に保持されるカラーコレクションテーブルの変更、即ち、カラーコレクションテーブルの書き換えを行う必要であるか否かを判断して、カラーコレクションテーブルの書き換えを行う必要がある場合には、カラーコレクションテーブル選択／作成部１２によって新たなカラーコレクションテーブルを選択、若しくは、作成する作業を行う（Ｓ２１）。制御装置１においては、このカラーコレクションテーブル選択／作成部１２により選択、若しくは、作成されたカラーコレクションテーブルを、カラーコレクションテーブル送信部１３がＤＣＰ作成装置２に送信する（Ｓ３２）。ＤＣＰ作成装置２においては、画像データＩ／Ｆ部２０１が、カラーコレクションテーブル送信部１３より送信されたカラーコレクションテーブルを受信して、ＬＵＴ部２０５が、そのカラーコレクションテーブルを上書き保持する（Ｓ５０）。一方、上流端末である画像データ編集端末３やＲＩＰ４において、上流端末オペレータは、出力する画像データの編集操作を行い（Ｓ４０）、その画像データを制御装置１へ送信する（Ｓ４１）。制御装置１においては、その画像データを受信して、格納部１１が、これを格納する（Ｓ３３）。さらに、画像データ解析加工部１４が、この格納部１１に格納された画像データを各色版別にラスター化処理する（Ｓ３４）。さらに、画像ラスターデータ送信部１５が、この画像データ解析加工部１４により作成された色版別の画像ラスターデータを、出力指示信号と共にＤＣＰ作成装置２に出力する（Ｓ３５）。ＤＣＰ作成装置２においては、ＬＵＴ部２０５に保持されたカラーコレクションテーブルに従って、画像ラスターデータ送信部１５より送信された色版別の画像ラスターデータに基づく画像を出力する処理を行う（Ｓ５１）。これにより、感光材料上には、所定の画像が描画されて、カラープルーフが作成される。
【００６１】
［画像出力システムの他例］
次に、本実施形態における画像出力システムのシステム構成及び概略動作について、図９を参照しつつ説明する。尚、本実施形態における画像出力システムは、上述した画像出力システムの制御装置１におけるカラーコレクションテーブルの選択機能及び作成機能を、後述する端末装置５に抽出したもの、具体的には、制御装置１のカラーコレクションテーブル記憶部１０、カラーコレクションテーブル選択／作成部１２及びカラーコレクションテーブル送信部１３に対応する機能を後述する端末装置５に備えたものであり、図９においては、上述した画像出力システムと同様の構成要素に関しては、同一の符号を付してある。
【００６２】
＜システム構成＞
図９に示すように、当該画像出力システムは、上流端末、即ち、画像データ編集端末３やＲＩＰ（Ｒａｓｔｅｒ・Ｉｍａｇｅ・Ｐｒｏｃｅｓｓｏｒ）４から送信された画像データに所定の解析加工処理を行った後、これを画像出力装置であるＤＣＰ作成装置２に送信する制御装置１´と、この制御装置１´から送信される画像データに対応する所定の出力制御情報、具体的には、上述したカラーコレクションテーブルが、必要に応じて、即ち、画像データが切り替わる等して、その内容を書き替える必要が生じて、新たに選択、若しくは、作成された場合に、これをＤＣＰ作成装置２に送信する端末装置５と、制御装置１´から送信された画像データに基づく画像を、端末装置５から送信されたカラーコレクションテーブルに従って出力するＤＣＰ作成装置２とから構成されている。尚、これらは、ネットワークＮを介して接続されている。因みに、ＲＩＰ４は、制御装置１´に組み込まれた構成としても良く、また、ＤＣＰ作成装置２は、複数が設けられる構成としても良い。
【００６３】
制御装置１´、画像データ編集端末３及び端末装置５は、各々、コンピュータターミナル（端末装置）として動作するものであって、制御装置１´及び端末装置５は、各々、コンピュータ本体、キーボード、表示部等を備え、後述する種々の処理を実行する所定の動作プログラムを組み込んでいる。また、画像データ編集端末３は、コンピュータ本体、キーボード、表示部、イメージスキャナ等の必要な画像入力機器を備えている。
【００６４】
＜概略動作＞
このような構成において、制御装置１´は、画像データ編集端末３やＲＩＰ４から送信される画像データを、予め設定された出力条件に従って解析加工した後、これをＤＣＰ作成装置２に送信する。因みに、画像データ編集端末３やＲＩＰ４から送信される画像データの種別には、主としてＰＳ、ＰＤＦ、ＥＰＳ等のページ記述言語と、ＴＩＦＦ、ＴＩＦＦ／ＩＴ、ＪＰＥＧ等の汎用フォーマットとがある。また、上述の出力条件は、制御装置１´において画像データを加工する際に反映させる他にも、出力条件を別途通知しておき、ＤＣＰ作成装置２においてその設定を反映させる方法がある。
【００６５】
また、端末装置５は、制御装置１´から送信される画像データに対応する所定の出力制御情報、具体的には、上述したカラーコレクションテーブルが、新たに選択、若しくは、作成された場合に、これをＤＣＰ作成装置２に送信する。
【００６６】
一方、ＤＣＰ作成装置２においては、端末装置５から送信されたカラーコレクションテーブルを、その都度、上書き保持すると共に、制御装置１´から送信された画像データに基づく画像を自身が保持する所定のカラーコレクションテーブルに従って出力する。これまでの工程により、カラープルーフが作成される。
【００６７】
尚、本実施形態における画像出力システムを構成する端末装置５は、上述した画像出力システムの制御装置１からカラーコレクションテーブルの選択機能及び作成機能を抽出したもの、具体的には、制御装置１のカラーコレクションテーブル記憶部１０、カラーコレクションテーブル選択／作成部１２及びカラーコレクションテーブル送信部１３に対応する機能を備えたものであり、その詳細については、制御装置１における場合と同様であるため、ここでの記載は省略する。一方、本実施形態における画像出力システムを構成する制御装置１´は、上述した画像出力システムの制御装置１からカラーコレクションテーブルの選択機能及び作成機能を取り除いたもの、具体的には、制御装置１のカラーコレクションテーブル記憶部１０、カラーコレクションテーブル選択／作成部１２及びカラーコレクションテーブル送信部１３に対応する機能を取り除いたものであり、その他の機能の詳細については、制御装置１における場合と同様であるため、ここでの記載は省略する。
【００６８】
尚、本実施形態における画像出力システムにおいては、カラーコレクションテーブルの選択機能及び作成機能を有する端末装置５が、制御装置１´から独立した構成となっているが、これらは、同じ場所に設置することとしても良いし、また、端末装置５を画像データ編集端末３やＲＩＰ４等の上流端末と同じ場所に設置して、上流端末オペレータが、自身が編集した画像データに対応するカラーコレクションテーブルを選択、或いは、作成する作業を行うことを可能にしても良い。このような場合には、制御装置オペレータの負担を軽減することができると共に、画像出力処理の利便性を向上させることができる。
【００６９】
［プログラム及びこれを記憶する記録媒体］
ところで、上述した画像出力システムを構成する制御装置１において行われる処理、具体的には、図３に示すフローチャートの処理を実行させるためのプログラムは、制御装置１に内蔵、若しくは、接続される記憶媒体に記録されており、同じく制御装置１に備えられた演算手段によって、これが読み出されて実行されるものとする。
【００７０】
因みに、上述した記録媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記録媒体＜磁気ディスク＞（ハードディスク／フロッピー（登録商標）ディスク／ＺＩＰ等）等を挙げることができる。
【００７１】
尚、以上に説明した実施形態は、本発明に係る画像出力システム、制御装置、画像出力装置、画像出力方法、その方法を実行させるためのプログラム、及び、そのプログラムを記憶した記憶媒体の好適な一実施形態を例示したものであり、その他の実施形態を除外するものではない。
【００７２】
例えば、図３に示すフローチャートの処理と、図７に示すフローチャートの処理は、通常、複数回にわたって繰り返し行われるものであり、また、例えば図３に示すフローチャートの（テーブル選択ステップ）〜（テーブル送信ステップ）と、（格納ステップ）〜（解析加工ステップ）との前後関係は、互いに順番を入れ換えたり、同時に進行することとしても良い。また、（テーブル選択ステップ）と（テーブル作成ステップ）は、何れか一方を実施することとしても良い。
【００７３】
【発明の効果】
以上に説明したように、本発明に係る画像出力システム、制御装置、端末装置、画像出力方法、その方法を実行させるためのプログラム、及び、そのプログラムを記憶した記憶媒体においては、画像出力装置に対して色版別の画像ラスターデータを送信する画像ラスターデータ送信手段と、前記色版別の画像ラスターデータに対応するテーブルを送信するテーブル送信手段とを独立して設けて、画像ラスターデータの送信と、これに対応するテーブルの送信とを独立して行うことを可能に構成すると共に、テーブルの送信に関しては、必要に応じて、これを行うこととしたので、例えば、同一内容のテーブルを繰り返し使用する際には、その出力処理の効率を大幅に向上させることができる。
【図面の簡単な説明】
【図１】本発明に係る画像出力システムの一実施形態におけるシステム構成を表す構成図である。
【図２】図１に示す画像出力システムの制御装置の詳細構成を表すブロック図である。
【図３】図２に示す制御装置における画像出力処理の一連の流れについて説明するためのフローチャートである。
【図４】カラーコレクションテーブルの構成を表す構成図である。
【図５】図１に示す画像出力システムのＤＣＰ作成装置の外観を表す構成図である。
【図６】図５に示すＤＣＰ作成装置の制御構成を表すブロック図である。
【図７】図１に示すＤＣＰ作成装置における画像出力処理の一連の流れについて説明するためのフローチャートである。
【図８】図１に示す画像出力システムにおける画像出力処理の一連の流れについて説明するためのフローチャートである。
【図９】図１に示す画像出力システムの他の実施形態におけるシステム構成を表す構成図である。
【符号の説明】
１  制御装置
１０  カラーコレクションテーブル記憶部
１１  格納部
１２  カラーコレクションテーブル選択／作成部
１３  カラーコレクションテーブル送信部
１４  画像データ解析加工部
１５  画像ラスターデータ送信部
２  ＤＣＰ作成装置
【図１】
2004349990.tif 000003
【図２】
2004349990.tif 000004
【図３】
2004349990.tif 000005
【図４】
2004349990.tif 000006
【図５】
2004349990.tif 000007
【図６】
2004349990.tif 000008
【図７】
2004349990.tif 000009
【図８】
2004349990.tif 000010
【図９】
2004349990.tif 000011